(57)【要約】【課題】簡単な構造でアンテナの小型化を実現できるようにすること。【解決手段】筐体１０１と、回路基板２０１と、レシーバフレキ２０２と、コネクタ２０３と、レシーバクリップ３０９と、給電部５０１を備えている。レシーバクリップ３０９は、レシーバおよびレシーバフレキの各端子を接触させ固定するために設けられ、強度および薄型化の観点から金属体から構成されている。レシーバは、レシーバフレキ２０２を用いて電気的に接続され、回路基板２０１、すなわちグランドから離れた位置に配置される。レシーバクリップ３０９も回路基板２０１、すなわちグランドから離れた位置に配置される。このように、レシーバクリップ３０９は金属体から構成され、グランドからも離れて配置され、給電部５０１と接続されることによりアンテナとして動作させることが可能となる。【選択図】図５
2012109936.tif 000002
【特許請求の範囲】
【請求項１】
携帯型無線端末に搭載するアンテナ装置であって、
給電部と、
レシーバと、
前記レシーバの端子に接続される端子を有するレシーバフレキと、
前記レシーバ端子と前記レシーバフレキ端子の接続を図るとともに、前記レシーバと前記レシーバフレキを前記携帯型無線端末装置に固定させる金属体のレシーバクリップと、を備え、
前記レシーバクリップは、前記給電部に接続され、
前記レシーバクリップは放射素子として動作することを特徴とするアンテナ装置。
【請求項２】
請求項１に記載のアンテナ装置であって、
前記給電部は、回路基板上に給電ピンが設けられ、前記レシーバクリップは前記給電ピンによって給電されることを特徴とするアンテナ装置。
【請求項３】
請求項１に記載のアンテナ装置であって、
前記給電部は、前記レシーバクリップに給電バネが設けられ、前記レシーバクリップは前記給電バネによって給電されることを特徴とするアンテナ装置。
【請求項４】
請求項１に記載のアンテナ装置であって、
前記給電部は、給電ピンと兼用したレシーバクリップ固定部が設けられ、前記レシーバクリップは前記レシーバクリップ固定部によって給電されることを特徴とするアンテナ装置。
【請求項５】
請求項１から請求項４のいずれか一項に記載のアンテナ装置であって、
前記レシーバクリップは、所望の周波数で共振するサイズであることを特徴とするアンテナ装置。
【請求項６】
請求項１から請求項５のいずれか一項に記載のアンテナ装置であって、
前記レシーバフレキにインダクタを装荷することを特徴とするアンテナ装置。
【請求項７】
携帯型無線端末に搭載するアンテナ装置であって、
給電部と、
スピーカと、
前記スピーカの端子に接続される端子を有するスピーカフレキと、
前記スピーカ端子と前記スピーカフレキ端子の接続を図るとともに、前記スピーカと前記スピーカフレキを前記携帯型無線端末装置に固定させる金属体のスピーカクリップと、を備え、
前記スピーカクリップは、前記給電部に接続され、
前記スピーカクリップは放射素子として動作することを特徴とするアンテナ装置。
【請求項８】
請求項７に記載のアンテナ装置であって、
前記給電部は、回路基板上に給電ピンが設けられ、前記スピーカクリップは前記給電ピンによって給電されることを特徴とするアンテナ装置。
【請求項９】
請求項７に記載のアンテナ装置であって、
前記給電部は、前記スピーカクリップに給電バネが設けられ、前記スピーカクリップは前記給電バネによって給電されることを特徴とするアンテナ装置。
【請求項１０】
請求項７に記載のアンテナ装置であって、
前記給電部は、給電ピンと兼用したスピーカクリップ固定部が設けられ、前記スピーカクリップは前記スピーカクリップ固定部によって給電されることを特徴とするアンテナ装置。
【請求項１１】
請求項７から請求項１０のいずれか一項に記載のアンテナ装置であって、
前記スピーカクリップは、所望の周波数で共振するサイズであることを特徴とするアンテナ装置。
【請求項１２】
請求項７から請求項１１のいずれか一項に記載のアンテナ装置であって、
前記スピーカフレキにインダクタを装荷することを特徴とするアンテナ装置。
【発明の詳細な説明】
【技術分野】
【０００１】
本発明は、アンテナ装置に関し、例えば、携帯型無線端末に適用して好適なものである。
【背景技術】
【０００２】
今後の移動通信システムの動向として、より快適な通信環境を実現するために周波数の拡張または追加、更には新規通信サービスの提供が挙げられる。これに伴い、携帯型無線端末用アンテナは大型化または新規アンテナの追加を必要とする傾向にある。
【０００３】
しかしながら、近年では、携帯型無線端末等の通信装置は普及の一途をたどり、モバイル性、デザイン性等の観点から通信装置の更なる小型・薄型化が要望されている。このため、アンテナにおいても実装面積の観点から小型化が必要となる。一般にアンテナは小型になると、放射効率は低下し、帯域幅は狭くなる。これに対し、アンテナ実装面積の縮小化手法として、他部品との共用化手法が挙げられる。
【０００４】
従来、アンテナの共用化技術として特許文献に開示されたものがある。以下、この特許文献に開示された内容について説明する。
【０００５】
図１３は、特許文献で開示された従来のアンテナ構成を示す図である。本発明のアンテナ装置１０は、第１端子１１と、第２端子１２と、第１端子１１および第２端子１２を備えたレシーバ１３と、第１端子１１に一方が電気的に接続される第１接続線１４と、第１接続線１４の他方に電気的に接続される給電部１６と、給電部１６に電気的に接続される高周波回路１７と、高周波回路１７が搭載されるグランド板１８と、第２端子１２に一方が電気的に接続される第２接続線１５と、第２接続線１５の他方に電気的に接続されるグランド板１８上に搭載された短絡部１９と、第１端子１１と第２端子１２とを電気的に接続するコンデンサ２０と、を備えた構成である。
【０００６】
このようにレシーバ部に、第１接続線１４、第２接続線１５、給電部１６、短絡部１９およびコンデンサ２０を設け、高周波回路１７と接続することによりループアンテナとして動作させている。
【０００７】
このような構成によりレシーバをアンテナ装置として動作させている。このため、特許文献に記載のアンテナ装置は、新規にアンテナの実装面積を確保する必要がないことから、アンテナの省スペース化が可能となり、装置の小型化を図ることができる。
【０００８】
このように、特許文献に記載のアンテナ装置はレシーバをアンテナとして共用し、装置の小型化を図っている。
なお、このような構成はレシーバだけでなく、スピーカでも同様にアンテナとして共用することができる。
【先行技術文献】
【特許文献】
【０００９】
【特許文献１】特開２０１０−１０８７９号公報
【発明の概要】
【発明が解決しようとする課題】
【００１０】
しかしながら、携帯型無線端末のレシーバ部においては、レシーバ端子に、レシーバフレキに構成した端子を接触させ、これらレシーバとレシーバフレキを金属体のクリップ（以下レシーバクリップという）で固定させる手法を用いるものがある。この場合、特許文献のアンテナ装置においては、アンテナ素子に金属体であるレシーバクリップが近接するため、アンテナとして機能させることは困難である。
なお、スピーカをアンテナとして機能させようとした場合にスピーカクリップを用いた場合でも同様な課題を有する。
【００１１】
本発明は、かかる点に鑑みてなされたもので、レシーバ部又はスピーカ部にレシーバクリップ又はスピーカクリップを用いる携帯型無線端末のレシーバ部又はスピーカ部をアンテナ装置として提供することを目的とする。
【課題を解決するための手段】
【００１２】
本発明は、第１に、携帯型無線端末装置に搭載するアンテナ装置であって、レシーバ部にレシーバと、レシーバフレキと、レシーバおよびレシーバフレキを固定する金属体のレシーバクリップと、給電部を備えるアンテナ装置である。
【００１３】
この構成により、給電部からレシーバクリップに給電を行い、レシーバクリップをアンテナとして動作させることが可能となる。
【００１４】
本発明は、第２に、上記のアンテナ装置であって、給電部は、回路基板上に給電ピンが設けられ、レシーバクリップは前記給電ピンによって給電されるアンテナ装置である。
【００１５】
この構成により、給電部からレシーバクリップに給電を行い、レシーバクリップをアンテナとして動作させることが可能となる。
【００１６】
本発明は、第３に、上記のアンテナ装置であって、給電部は、レシーバクリップに給電バネが設けられ、前記レシーバクリップは前記給電バネによって給電されるアンテナ装置である。
【００１７】
この構成により、給電部からレシーバクリップに給電を行い、レシーバクリップをアンテナとして動作させることが可能となる。
【００１８】
本発明は、第４に、上記のアンテナ装置であって、給電部は、給電ピンと兼用したレシーバクリップ固定部が設けられ、レシーバクリップは前記固定部によって給電されるアンテナ装置である。
【００１９】
この構成により、給電部からレシーバクリップに給電を行い、レシーバクリップをアンテナとして動作させることが可能となる。
【００２０】
本発明は、第５に、上記のアンテナ装置であって、レシーバクリップはサイズを変更して構成されるアンテナ装置である。
【００２１】
この構成により、所望の周波数で共振させることが可能となる。
【００２２】
本発明は、第６に、上記のアンテナ装置であって、レシーバフレキにインダクタを装荷して構成されるアンテナ装置である。
【００２３】
この構成により、アンテナ特性の低減化を抑制することが可能となる。
【００２４】
本発明は、第７に、携帯型無線端末装置に搭載するアンテナ装置であって、スピーカ部にスピーカと、スピーカフレキと、スピーカおよびスピーカフレキを固定する金属体のスピーカクリップと、給電部を備えるアンテナ装置である。
【００２５】
この構成により、給電部からスピーカクリップに給電を行い、スピーカクリップをアンテナとして動作させることが可能となる。
【００２６】
本発明は、第８に、上記のアンテナ装置であって、給電部は、回路基板上に給電ピンが設けられ、スピーカクリップは前記給電ピンによって給電されるアンテナ装置である。
【００２７】
この構成により、給電部からスピーカクリップに給電を行い、スピーカクリップをアンテナとして動作させることが可能となる。
【００２８】
本発明は、第９に、上記のアンテナ装置であって、給電部は、スピーカクリップに給電バネが設けられ、前記スピーカクリップは前記給電バネによって給電されるアンテナ装置である。
【００２９】
この構成により、給電部からスピーカクリップに給電を行い、スピーカクリップをアンテナとして動作させることが可能となる。
【００３０】
本発明は、第１０に、上記のアンテナ装置であって、給電部は、給電ピンと兼用したスピーカクリップ固定部が設けられ、スピーカクリップは前記固定部によって給電されるアンテナ装置である。
【００３１】
この構成により、給電部からスピーカクリップに給電を行い、スピーカクリップをアンテナとして動作させることが可能となる。
【００３２】
本発明は、第１１に、上記のアンテナ装置であって、スピーカクリップはサイズを変更して構成されるアンテナ装置である。
【００３３】
この構成により、所望の周波数で共振させることが可能となる。
【００３４】
本発明は、第１２に、上記のアンテナ装置であって、スピーカフレキにインダクタを装荷して構成されるアンテナ装置である。
【００３５】
この構成により、アンテナ特性の低減化を抑制することが可能となる。
【発明の効果】
【００３６】
本発明によれば、レシーバクリップ又はスピーカクリップをアンテナとして用いることで、簡単な構造でアンテナの小型化を実現することができる。
【図面の簡単な説明】
【００３７】
【図１】本発明の実施の形態１に係るアンテナ装置を適用する携帯型無線端末の構成を示す外観正面図
【図２】本発明の実施の形態１に係るアンテナ装置を適用する携帯型無線端末の筐体カバーを外した状態での概略背面図
【図３】本実施の形態１に係るアンテナ装置を構成するレシーバ部の分解斜視図
【図４】本実施の形態１に係るアンテナ装置を構成するレシーバ部が保持される状態を説明する分解斜視図
【図５】本発明の実施の形態１に係るアンテナ装置の動作説明をする筐体カバーを外した状態での概略背面図
【図６】周波数１．５７５ＧＨｚでチューニングしたときのインピーダンス特性を示す図
【図７】周波数２．４ＧＨｚ帯でチューニングしたときのインピーダンス特性を示す図
【図８】本発明の実施の形態２に係るアンテナ装置の給電部付近の構成を示す概略斜視図
【図９】本発明の実施の形態３に係るアンテナ装置の給電部付近の構成を示す概略斜視図
【図１０】本発明の実施の形態４に係るアンテナ装置の給電部付近の構成を示す概略斜視図
【図１１】本発明の実施の形態５に係るアンテナ装置の構成を示す概略図
【図１２】本発明の実施の形態６に係るアンテナ装置のレシーバフレキの構成を示す概略図
【図１３】特許文献のアンテナ構成を示す図
【発明を実施するための形態】
【００３８】
以下、本発明の実施の形態について、図面を参照して詳細に説明する。なお、各図において同一の構成または機能を有する構成要素および相当部分には、同一の符号を付してその説明は繰り返さない。
【００３９】
（実施の形態１）
図１は、本発明の実施の形態１に係るアンテナ装置を適用する携帯型無線端末の構成を示す外観正面図である。図１に示すように、本実施の形態１に係わる携帯型無線端末１００は、筐体１０１と、各種情報を表示する表示部１０２と、各種操作キーからなる操作部１０３と、受話音声を出力するレシーバ部１０４を備えている。
【００４０】
図２は、本発明の実施の形態１に係るアンテナ装置を適用する携帯型無線端末の筐体カバーを外した状態での概略背面図である。
【００４１】
図２に示すように、本実施の形態１に係わる携帯型無線端末２００は、筐体１０１と、図示しない無線回路等が実装される回路基板２０１と、受話音声を出力するレシーバ部１０４と、レシーバフレキ２０２と、回路基板２０１に接続されたコネクタ２０３を備えている。ここで、レシーバフレキ２０２は、レシーバ部１０４とコネクタ２０３に接続され、回路基板２０１からの信号をレシーバ部１０４に送信するものである。
【００４２】
図３は、本実施の形態１に係るアンテナ装置を構成するレシーバ部の分解斜視図である。
【００４３】
図３に示すように、本実施の形態１に係わるレシーバ部３００は、レシーバ第１端子３０１、レシーバ第２端子３０２および磁気回路の一部となる金属板３０３を有するレシーバ３０４と、レシーバフレキ第１端子３０５、レシーバフレキ第１端子３０５と接続される第１接続線３０６、レシーバフレキ第２端子３０７およびレシーバフレキ第２端子３０７と接続される第２接続線３０８を有するレシーバフレキ２０２と、金属体で構成されたレシーバクリップ３０９を備えている。レシーバフレキ第１端子３０５と接続される第１接続線３０６およびレシーバフレキ第２端子３０７と接続される第２接続線３０８は、図示しないコネクタ２０３を介して図示しない回路基板２０１に接続される。レシーバクリップ３０９は、レシーバフレキ２０２とレシーバ３０４を図示しない筐体１０１に固定するとともに、レシーバ第１端子３０１およびレシーバフレキ第１端子３０５、レシーバ第２端子３０２およびレシーバフレキ第２端子３０７を同時に挟み込んで押圧をかけることで電気的に接触させる役割を有する。
【００４４】
図４は、本実施の形態１に係るアンテナ装置を構成するレシーバ部が保持される状態を説明する分解斜視図である。図４に示すように、本実施の形態１に係わるレシーバ部４００は、筐体１０１、レシーバ収納部４０１、レシーバ収納部４０１に設けられたレシーバクリップ固定用第１凸部４０２、レシーバ収納部４０１に設けられたレシーバクリップ固定用第２凸部４０３、レシーバクリップ３０９、レシーバクリップ３０９に設けられたレシーバクリップ固定用第１凹部４０４、レシーバクリップ３０９に設けられたレシーバクリップ固定用第２凹部４０５を備えている。
【００４５】
図示しないレシーバ３０４および図示しないレシーバフレキ２０２は、レシーバ収納部４０１に収納され、その上方からレシーバクリップ３０９を用いて、図示しないレシーバ３０４および図示しないレシーバフレキ２０２を筐体１０１に固定させる。固定は、レシーバクリップ固定用第１凸部４０２およびレシーバクリップ固定用第１凹部４０４と、レシーバクリップ固定用第２凸部４０３およびレシーバクリップ固定用第２凹部４０５を嵌合させることにより行う。なお、図４ではレシーバクリップ３０９側に凹部を、レシーバ収納部４０１側に凸部を設けた構成を示したが、レシーバクリップ３０９側に凸部を、レシーバ収納部４０１側に凹部を設けた構成としてもよい。
【００４６】
図５は、本発明の実施の形態１に係るアンテナ装置の動作説明をする筐体カバーを外した状態での概略背面図である。
【００４７】
図５に示すように、本実施の形態１に係るアンテナ装置５００は、筐体１０１と、回路基板２０１と、レシーバフレキ２０２と、コネクタ２０３と、レシーバクリップ３０９と、給電部５０１を備えている。
【００４８】
次に、本実施の形態１に係るアンテナ装置５００の動作について説明する。長さＬ、幅Ｗを有するレシーバクリップ３０９は、図示しないレシーバ３０２およびレシーバフレキ２０２の各端子を接触させ固定するために設けられており、強度および薄型化の観点から金属体から構成されている。また、図示しないレシーバ３０４は、レシーバフレキ２０２を用いて電気的に接続される構成であるため、回路基板２０１、すなわちグランドから離れた位置に配置される。これに伴い、レシーバクリップ３０９も回路基板２０１、すなわちグランドから距離Ｄだけ離れた位置に配置される。このように、レシーバクリップ３０９は金属体から構成され、グランドからも離れて配置されているため、給電部５０１と接続されることによりアンテナとして動作させることが可能となる。また、レシーバクリップ３０９は、筐体１０１の上端に配置されているため、天頂方向からの電波を受信しやすく、また手保持状態における手の影響を受けにくいというアンテナにとっては好適な配置位置でもある。
【００４９】
図６に一例として、レシーバクリップの長さＬが１２ｍｍ、幅Ｗが６ｍｍ、基板からの距離Ｄが１．５ｍｍにおいて、周波数１．５７５ＧＨｚでチューニングしたときのインピーダンス特性６００を示す。この時の効率は、約−４ｄＢであり、ＧＰＳ帯アンテナとして使用することが可能である。
【００５０】
図７に一例として、レシーバクリップの長さＬが１２ｍｍ、幅Ｗが６ｍｍ、基板からの距離Ｄが１．５ｍｍにおいて、周波数２．４ＧＨｚ帯でチューニングしたときのインピーダンス特性７００を示す。この時の効率は、約−４ｄＢであり、ＷＬＡＮ帯アンテナとして使用することが可能である。
【００５１】
上述のように、本実施の形態１に係るアンテナ装置５００によれば、小型、高性能化を実現するアンテナ装置を提供することができる。
なお、レシーバをアンテナとして機能させる構成について説明したが、スピーカに置き換えても同様の効果を有する。
この場合、レシーバ部はスピーカ部に、レシーバクリップはスピーカクリップに、レシーバクリップ固定部はスピーカクリップ固定部に、レシーバフレキはスピーカフレキに、レシーバ端子はスピーカ端子に、レシーバフレキ端子はスピーカフレキ端子にそれぞれ置き換える。
【００５２】
（実施の形態２）
図８は、本発明の実施の形態２に係るアンテナ装置の給電部付近の構成を示す概略斜視図である。本発明の実施の形態２は、既に説明した本発明の実施の形態１の給電部の構成を示している。
【００５３】
図８に示すように、本実施の形態２に係るアンテナ装置８００は、回路基板２０１、レシーバクリップ３０９、給電端子８０１、給電点８０２、給電ピン８０３を備えている。
【００５４】
次に、本実施の形態２に係るアンテナ装置８００の動作について説明する。給電端子８０１は、レシーバクリップ３０９に接続されている。図８では、給電端子８０１はレシーバクリップ３０９の金属体の一部を伸延させて構成しているが、電気的な接続が確保できるのであれば別の金属体を一体に構成してもよい。給電点８０２は回路基板２０１上に導電性パターンとして構成されており、さらに給電ピン８０３が給電点８０２に接続されている。レシーバクリップ３０９は図示しない筐体１０１に固定されるが、この固定に伴い、給電端子８０１と給電ピン８０３は接触し、レシーバクリップ３０９は給電され、放射素子として動作する。
【００５５】
上述のように、本実施の形態２に係るアンテナ装置８００によれば、小型、高性能化を実現するアンテナ装置を提供することができる。
なお、レシーバをアンテナとして機能させる構成について説明したが、スピーカに置き換えても同様の効果を有する。
この場合、レシーバ部はスピーカ部に、レシーバクリップはスピーカクリップにそれぞれ置き換える。
【００５６】
（実施の形態３）
図９は、本発明の実施の形態３に係るアンテナ装置の給電部付近の構成を示す概略斜視図である。本発明の実施の形態３は、既に説明した本発明の実施の形態１の給電部の構成を示している。
【００５７】
図９に示すように、本実施の形態３に係るアンテナ装置９００は、回路基板２０１、レシーバクリップ３０９、給電点８０２、給電バネ９０１を備えている。
【００５８】
次に、本実施の形態３に係るアンテナ装置９００の動作について説明する。給電バネ９０１は、レシーバクリップ３０９に接続されている。図９では、給電バネ９０１はレシーバクリップ３０９の金属体の一部を伸延させて構成しているが、電気的な接続が確保できるのであればバネ性を有する別の金属体を一体に構成してもよい。給電点８０２は回路基板２０１上に構成されている。レシーバクリップ３０９は図示しない筐体１０１に固定されるが、この固定に伴い、給電バネ９０１と給電点８０２は接触し、レシーバクリップ３０９は給電され、放射素子として動作する。
【００５９】
上述のように、本実施の形態３に係るアンテナ装置９００によれば、小型、高性能化を実現するアンテナ装置を提供することができる。
なお、レシーバをアンテナとして機能させる構成について説明したが、スピーカに置き換えても同様の効果を有する。
この場合、レシーバ部はスピーカ部に、レシーバクリップはスピーカクリップにそれぞれ置き換える。
【００６０】
（実施の形態４）
図１０は、本発明の実施の形態４に係るアンテナ装置の給電部付近の構成を示す概略斜視図である。本発明の実施の形態４は、既に説明した本発明の実施の形態１の給電部の構成を示している。
【００６１】
図１０に示すように、本実施の形態４に係るアンテナ装置１０００は、回路基板２０１、レシーバクリップ３０９、レシーバクリップ固定用第１凹部４０４、給電点８０２、レシーバクリップ固定用金属凸部１００１を備えている。
【００６２】
次に、本実施の形態４に係るアンテナ装置１０００の動作について説明する。給電点８０２は回路基板２０１上に導電性パターンで構成されている。レシーバクリップ固定用金属凸部１００１は、一部又は全部が金属体から構成され、給電点８０２に電気的に接続されている。レシーバクリップ３０９は、レシーバクリップ固定用第１凹部４０４およびレシーバクリップ固定用金属凸部１００１と図示しないレシーバクリップ固定用第２凸部４０３および図示しないレシーバクリップ固定用第２凹部４０５を接触させることにより図示しない筐体１０１に固定される。この固定に伴い、レシーバクリップ固定用金属凸部１００１の金属部を通じてレシーバクリップ３０９が給電され、放射素子として動作する。
【００６３】
上述のように、本実施の形態４に係るアンテナ装置１０００によれば、小型、高性能化を実現するアンテナ装置を提供することができる。
なお、レシーバをアンテナとして機能させる構成について説明したが、スピーカに置き換えても同様の効果を有する。
この場合、レシーバ部はスピーカ部に、レシーバクリップはスピーカクリップに、レシーバクリップ固定部はスピーカクリップ固定部にそれぞれ置き換える。
【００６４】
（実施の形態５）
図１１は、本発明の実施の形態５に係るアンテナ装置の構成を示す概略図である。本発明の実施の形態５は、既に説明した本発明の実施の形態１におけるレシーバクリップのサイズを所望の周波数で共振するサイズに変更した点に特徴がある。
【００６５】
図１１に示すように、本実施の形態５に係るアンテナ装置１１００は、レシーバクリップ３０９、給電部５０１、伸長素子１１０１を備えている。ここで、給電部５０１および伸長素子１１０１は、レシーバクリップ３０９に接続されている。
【００６６】
次に、本実施の形態５に係るアンテナ装置１１００の動作について説明する。レシーバクリップ３０９は、図示しないレシーバ３０２およびレシーバフレキ２０２の各端子を接触させ固定するために設けられており、強度および薄型化の観点から金属体から構成されている。また、レシーバクリップ３０９は図示しない回路基板２０１、すなわちグランドから離れた位置に配置される。このように、レシーバクリップ３０９は金属体から構成され、グランドからも離れて配置されているため、給電部５０１と接続されることによりアンテナとして動作させることが可能となる。また、レシーバクリップ３０９に伸長素子１１０１を設けることにより、所望の周波数で共振するサイズに変更することが可能である。
【００６７】
上述のように、本実施の形態５に係るアンテナ装置１１００によれば、小型、高性能化を実現するアンテナ装置を提供することができる。
なお、レシーバをアンテナとして機能させる構成について説明したが、スピーカに置き換えても同様の効果を有する。
この場合、レシーバ部はスピーカ部に、レシーバクリップはスピーカクリップに、レシーバフレキはスピーカフレキにそれぞれ置き換える。
【００６８】
（実施の形態６）
図１２は、本発明の実施の形態６に係るアンテナ装置のレシーバフレキの構成を示す概略図である。本発明の実施の形態６は、既に説明した本発明の実施の形態１におけるレシーバフレキ２０２にインダクタを装荷した点に特徴がある。
【００６９】
図１２に示すように、本実施の形態３に係るレシーバフレキ１２００は、コネクタ２０３、レシーバフレキ第１端子３０５、第１接続線３０６、レシーバフレキ第２端子３０７、第２接続線３０８、第１インダクタ１２０１、第２インダクタ１２０２、第３インダクタ１２０３、第４インダクタ１２０４を備えている。ここで、第１インダクタ１２０１は、レシーバフレキ第１端子３０５に接続される。第１接続線３０６は、第１インダクタ１２０１に接続される。第２インダクタ１２０２は、第１接続線３０６に接続される。コネクタ２０３は、第２インダクタ１２０２に接続される。第３インダクタ１２０３は、レシーバフレキ第２端子３０７に接続される。第２接続線３０８は、第３インダクタ１２０３に接続される。第４インダクタ１２０４は、第２接続線３０８に接続される。コネクタ２０３は、第４インダクタ１２０４に接続される。
【００７０】
次に、本実施の形態６に係るレシーバフレキ１２００の動作について説明する。レシーバフレキ第１端子３０５は、図示しないレシーバ第１端子３０１に接続され、レシーバフレキ第２端子３０７は、図示しないレシーバ第２端子３０２に接続され、レシーバフレキ第１端子３０５およびレシーバフレキ第２端子３０７は図示しないレシーバクリップ３０９近傍に配置される。
【００７１】
第１接続線３０６または第２接続線３０８に高周波電流が流れると、図示しないアンテナとして兼用するレシーバクリップ３０９との間に電磁界結合が生じて、アンテナ特性の劣化を招くことがある。このため、第１接続線３０６に高周波電流が流れ込むのを阻止するために、第１インダクタ１２０１および第２インダクタ１２０２を備え、第２接続線３０８に高周波電流が流れ込むのを阻止するために、第３インダクタ１２０３および第４インダクタ１２０４を備えている。なお、本説明では、第１インダクタ８０１、第２インダクタ８０２、第３インダクタ８０３および第４インダクタ８０４の４つのインダクタを装荷しているが、この４つのうちで高周波電流の流れ込み阻止効果があるインダクタのみの装荷でもよい。
【００７２】
上述のように、本実施の形態６に係るレシーバフレキ１２００によれば、小型、高性能化を実現するアンテナ装置を提供することができる。
なお、レシーバをアンテナとして機能させる構成について説明したが、スピーカに置き換えても同様の効果を有する。
この場合、レシーバ部はスピーカ部に、レシーバフレキはスピーカフレキに、レシーバフレキ端子はスピーカフレキ端子にそれぞれ置き換える。
【産業上の利用可能性】
【００７３】
本発明に係るアンテナ装置は、簡単な構造で小型化を図ることができるため、携帯型無線端末におけるアンテナ装置として有用である。
【符号の説明】
【００７４】
１０, ５００, ８００, ９００, １１００    アンテナ装置
１１    第１端子
１２    第２端子
１３, ３０４    レシーバ
１４, ３０６    第１接続線
１５, ３０８    第２接続線
１６    給電部
１７    高周波回路
１８    グランド板
１９    短絡部
２０    コンデンサ
１００, ２００    携帯型無線端末
１０１    筐体
１０２    表示部
１０３    操作部
１０４, ３００, ４００    レシーバ部
２０１    回路基板
２０２, １２００    レシーバフレキ
２０３    コネクタ
３０１    レシーバ第１端子
３０２    レシーバ第２端子
３０３    金属板
３０５    レシーバフレキ第１端子
３０７    レシーバフレキ第２端子
３０９    レシーバクリップ
４００    レシーバ部
４０１    レシーバ収納部
４０２    レシーバクリップ固定用第１凸部
４０３    レシーバクリップ固定用第２凸部
４０４    レシーバクリップ固定用第１凹部
４０５    レシーバクリップ固定用第２凹部
５０１    給電部
６００, ７００    インピーダンス特性
８０１    給電端子
８０２    給電点
８０３    給電ピン
９０１    給電バネ
１００１    レシーバクリップ固定用金属凸部
１１０１    伸長素子
１２０１    第１インダクタ
１２０２    第２インダクタ
１２０３    第３インダクタ
１２０４    第４インダクタ
【図１】
2012109936.tif 000003
【図２】
2012109936.tif 000004
【図３】
2012109936.tif 000005
【図４】
2012109936.tif 000006
【図５】
2012109936.tif 000007
【図６】
2012109936.tif 000008
【図７】
2012109936.tif 000009
【図８】
2012109936.tif 000010
【図９】
2012109936.tif 000011
【図１０】
2012109936.tif 000012
【図１１】
2012109936.tif 000013
【図１２】
2012109936.tif 000014
【図１３】
2012109936.tif 000015